(57)【要約】【課題】高次高調波を高感度で受信でき、送信する超音波の減衰を低減させる超音波探触子、およびかかる超音波探触子を具備する超音波診断装置を提供する。【解決手段】超音波探触子は、被検体方向から向かって凹面状に複数並べられた圧電素子と、圧電素子の被検体側に、圧電素子と空間を形成する保持部と、空間内に設けられた液体と、を有し、超音波診断装置はかかる超音波探触子を有する。【選択図】図３
2012011024.tif 000002
【特許請求の範囲】
【請求項１】
被検体方向から向かって凹面状に複数並べられた圧電素子と、
前記圧電素子の被検体側に、前記圧電素子と空間を形成する保持部と、
前記空間内に設けられた液体と、
を有することを特徴とする超音波探触子。
【請求項２】
前記液体は水であることを特徴とする請求項１に記載の超音波探触子。
【請求項３】
前記保持部の被検体側の面は、平面であることを特徴とする請求項１または２に記載の超音波探触子。
【請求項４】
前記保持部の被検体側の面は、曲面であることを特徴とする請求項１または２に記載の超音波探触子。
【請求項５】
前記複数並べられた圧電素子は、超音波を送受信する圧電素子で構成されていることを特徴とする請求項１から４の何れか一項に記載の超音波探触子。
【請求項６】
前記複数並べられた圧電素子は、超音波を送信する圧電素子と超音波を受信する圧電素子とで構成されることを特徴とする請求項１から４の何れか一項に記載の超音波探触子。
【請求項７】
送受信する超音波の周波数は、１５ＭＨｚ以上５０ＭＨｚ以下であることを特徴とする請求項５に記載の超音波探触子。
【請求項８】
受信する超音波の周波数は、１５ＭＨｚ以上５０ＭＨｚ以下であることを特徴とする請求項６に記載の超音波探触子。
【請求項９】
請求項１から８の何れか一項に記載の超音波探触子を備えたことを特徴とする超音波診断装置。
【発明の詳細な説明】
【技術分野】
【０００１】
本発明は、超音波探触子、および超音波診断装置に関する。
【背景技術】
【０００２】
超音波診断装置は超音波パルス反射法により、体表から生体内の軟組織の断層像を低侵襲に得る医療用画像機器である。この超音波診断装置は、他の医療用画像機器に比べ、小型で安価、Ｘ線などの被爆がなく安全性が高い、ドップラー効果を応用して血流イメージングが可能等の特長を有している。そのため、循環器系（心臓の冠動脈）、消化器系（胃腸）、内科系（肝臓、膵臓、脾臓）、泌尿科系（腎臓、膀胱）、及び産婦人科系などで広く利用されている。
【０００３】
このような医療用超音波診断装置に使用される超音波探触子は、高感度、高解像度の超音波の送受信を行うために、ジルコン酸チタン酸鉛を材料とした圧電素子が一般的に使用される。この場合、送信用圧電素子の振動モードとしては、単一型探触子であるシングル型または複数の探触子を２次元配置したアレイ型探触子がよく使用される。アレイ型は精細な画像を得ることができるので、診断検査のための医療用画像として広く普及している。
【０００４】
一方、高調波信号を用いたハーモニックイメージング診断は、従来のＢモード診断では得られない鮮明な診断像が得られることから標準的な診断方法となりつつある。
【０００５】
ハーモニックイメージングは、基本波に比較して下記のような多くの利点を有している。
【０００６】
１．サイドローブレベルが小さいことにより、Ｓ／Ｎ比が良くコントラスト分解能が良くなること。
【０００７】
２．周波数が高くなることによって、ビーム幅が細くなり横方向分解能が良くなること。
【０００８】
３．近距離では音圧が小さく、音圧の変動が少ないため、多重反射が起こらないこと。
【０００９】
４．送波の減衰は基本波並みであり、高調波の周波数を基本波とする超音波に比べ深度を大きく取れること。
【００１０】
などである。
【００１１】
ハーモニックイメージングに用いるアレイ型超音波探触子の具体的な構造として、送信用圧電素子と受信用圧電素子とを別体とし、超音波の送信時と受信時における動作を分離したアレイ型超音波探触子が提案されている。
【００１２】
このようなアレイ型超音波探触子に用いられる受信用圧電素子は、高調波信号を高感度で受信できることが望ましい。しかしながら、ジルコン酸チタン酸鉛等を材料とした圧電素子の送受信周波数は圧電素子の厚さに依存するため、受信する周波数が高周波になるほど圧電素子を小型に加工する必要があり、製造が困難であった。
【００１３】
このような問題を解決するため、シート状の圧電セラミックを単層または積層した構造の送信用圧電素子と受信用のシート状の圧電素子を単層または積層させ、送信と受信を別々の圧電素子に分離するとともに、受信用に高感度有機圧電素子材料を使用することにより高感度な超音波探触子を得る方法が提案されている（特許文献１、２、３参照）。
【００１４】
一方、従来から超音波探触子には、超音波のビームを収束させて分解能を向上させるため音響レンズが用いられている。音響レンズは生体と密着させるので、生体からの超音波の反射を最小にするため生体の音響インピーダンスに近く、使用する周波数において減衰率の小さい材料が求められている。
【００１５】
このような音響レンズの材料として、従来シリコンゴムが主に用いられてきたが、シリコンゴムは超音波の伝搬損失が大きいため、高周波化、もしくは広帯域化に対しては不向きな材料である。
【００１６】
そのため、音響レンズを用いないで超音波を収束させる技術が提案されている（特許文献４参照）。
【００１７】
特許文献４に記載の技術では、圧電素子の短軸長方向を凹面としてその表面に均一な厚みの音響整合層を形成し、その表面内に生体より小さな音速の充填層を埋設して平坦面としたことを特徴としている。このようにすることで、圧電素子からの超音波は、その曲率に応じた凹面内の中心部に放射されて収束するので、音響レンズを不要にすることが可能となる。
【先行技術文献】
【特許文献】
【００１８】
【特許文献１】特開２００８−１８８４１５号公報
【特許文献２】国際公開第２００７／１４５０７３号パンフレット
【特許文献３】国際公開第２００８／０１０５０９号パンフレット
【特許文献４】特開平８−２７５９４４号公報
【発明の概要】
【発明が解決しようとする課題】
【００１９】
特許文献４に開示されている方法は、凹面として形成された音響整合層の表面内に埋設する生体より小さな音速の充填層としてシリコン系樹脂を用いられる。シリコン系樹脂を使用すると、超音波の伝搬時に減衰を生じる。特に、生体等の表面近傍に焦点を合わせる場合は、凹面の曲率半径を小さくする必要がある。したがって、その分シリコン系樹脂の厚みが大きくなって、超音波の減衰も大きくなり、送受波利得を低下させる問題があった。また、高周波数ほど減衰が大きく、周波数に対する感度特性を低下させ、中心周波数に対する帯域特性を狭くする問題もあった。
【００２０】
本発明は、上記課題に鑑みてなされたものであって、高次高調波を高感度で受信でき、送信する超音波の減衰を低減させる超音波探触子、およびかかる超音波探触子を具備する超音波診断装置を提供することを目的とする。
【課題を解決するための手段】
【００２１】
前述の目的は、下記に記載する発明により達成される。
【００２２】
１．被検体方向から向かって凹面状に複数並べられた圧電素子と、
前記圧電素子の被検体側に、前記圧電素子と空間を形成する保持部と、
前記空間内に設けられた液体と、
を有することを特徴とする超音波探触子。
【００２３】
２．前記液体は水であることを特徴とする前記１に記載の超音波探触子。
【００２４】
３．前記保持部の被検体側の面は、平面であることを特徴とする前記１または２に記載の超音波探触子。
【００２５】
４．前記保持部の被検体側の面は、曲面であることを特徴とする前記１または２に記載の超音波探触子。
【００２６】
５．前記複数並べられた圧電素子は、超音波を送受信する圧電素子で構成されていることを特徴とする前記１から４の何れか一項に記載の超音波探触子。
【００２７】
６．前記複数並べられた圧電素子は、超音波を送信する圧電素子と超音波を受信する圧電素子とで構成されることを特徴とする前記１から４の何れか一項に記載の超音波探触子。
【００２８】
７．送受信する超音波の周波数は、１５ＭＨｚ以上５０ＭＨｚ以下であることを特徴とする前記５に記載の超音波探触子。
【００２９】
８．受信する超音波の周波数は、１５ＭＨｚ以上５０ＭＨｚ以下であることを特徴とする前記６に記載の超音波探触子。
【００３０】
９．前記１から８の何れか一項に記載の超音波探触子を備えたことを特徴とする超音波診断装置。
【発明の効果】
【００３１】
本発明は、高次高調波を高感度で受信でき、送信する超音波の減衰を低減させる超音波探触子、およびかかる超音波探触子を具備する超音波診断装置を提供できる。
【図面の簡単な説明】
【００３２】
【図１】実施形態における超音波診断装置の外観構成を示す図である。
【図２】実施形態における超音波診断装置の電気的な構成を示すブロック図である。
【図３】実施形態における超音波探触子の断面図である。
【図４】コンベックス型の超音波探触子の模式図である。
【図５】ｙｚ面内とｘｚ面内にてレンズ効果を発揮する超音波探触子の模式図である。
【発明を実施するための形態】
【００３３】
以下、本発明に係る実施の一形態を図面に基づいて説明するが、本発明は該実施の形態に限られない。なお、各図において同一の符号を付した構成は、同一の構成であることを示し、その説明を省略する。
【００３４】
（超音波診断装置および超音波探触子の各構成および動作）
図１は、実施形態における超音波診断装置の外観構成を示す図である。図２は、実施形態における超音波診断装置の電気的な構成を示すブロック図である。
【００３５】
超音波診断装置１００は、図略の生体等の被検体に対して超音波（超音波信号）を送信し、受信した被検体で反射した超音波の反射波（エコー、超音波信号）から被検体内の内部状態を超音波画像として画像化し、表示部４５に表示する。
【００３６】
超音波探触子１は、被検体に対して超音波（超音波信号）を送信し、被検体で反射した超音波の反射波を受信する。超音波探触子１は、図２に示すように、ケーブル３３を介して超音波診断装置本体３１と接続されており、送信回路４２、受信回路４３と電気的に接続されている。
【００３７】
送信回路４２は、制御部４６の指令により、超音波探触子１へケーブル３３を介して電気信号を送信し、超音波探触子１から被検体に対して超音波を送信させる。
【００３８】
受信回路４３は、制御部４６の指令により、超音波探触子１からケーブル３３を介して、被検体内からの超音波の反射波に応じた電気信号を受信する。
【００３９】
画像処理部４４は、制御部４６の指令により、受信回路４３が受信した電気信号に基づいて被検体内の内部状態を超音波画像として画像化する。
【００４０】
表示部４５は、液晶パネルなどから成り、制御部４６の指令により、画像処理部４４が画像化した超音波画像を表示する。
【００４１】
操作入力部４１は、スイッチやキーボードなどから構成され、ユーザが診断開始を指示するコマンドや被検体の個人情報等のデータを入力するために設けられている。
【００４２】
制御部４６は、ＣＰＵ、メモリなどから構成され、操作入力部４１の入力に基づいてプログラムされた手順により超音波診断装置１００各部の制御を行う。
【００４３】
図３は実施形態における超音波探触子１の断面図である。
【００４４】
超音波探触子１は、被検体方向に凹面形状を有するバッキング材５の凹面の上に第４電極１５、送信素子層２、第３電極１４、中間層１３、第２電極１０、受信素子層３、第１電極１２、振動子保護膜１６、充填層８の順に積層されている。
【００４５】
送信素子層２は、ジルコン酸チタン酸鉛などの無機圧電材料から成る圧電素子であり、互いに厚み方向に対向する両面にそれぞれ第３電極１４、第４電極１５を備えている。
【００４６】
本実施形態では、図３のように送信素子層２の中間層１３と対向する側の面が凹面であり、送信素子層２から送信した超音波を所定の距離に収束させる音響収束機能を有している。
【００４７】
第３電極１４、第４電極１５は、図示せぬコネクタによりケーブル３３と接続され、ケーブル３３を介して送信回路４２と接続する。第３電極１４、第４電極１５に電気信号を入力すると圧電素子が振動し、送信素子層２からＺ軸正方向に超音波を送信するように構成されている。
【００４８】
第３電極１４、第４電極１５の厚みは、１〜２μｍ程度である。第３電極１４、第４電極１５の厚みは、音響特性上はできるだけ薄い方が良いが、薄すぎると電極にひび割れ等が発生し、信頼性を損なうので０．１〜１０μｍの範囲、好ましくは０．１〜５μｍにすることが望ましい。特に超音波を送信する側の、第３電極１４は音響特性上できるだけ薄くすることが望ましい。
【００４９】
第３電極１４、第４電極１５は、金、銀、アルミなどの金属材料を用いて、送信素子層２の両面に蒸着法やフォトリソグラフィー法を用いて成膜する。
【００５０】
中間層１３は、受信素子層３が被検体で反射した超音波の反射波を受信して振動した際に、送信素子層２が共振して振動しないように受信素子層３の振動を吸収するために設けられている。
【００５１】
本実施形態では、図３のように中間層１３は送信素子層２と同じように湾曲しており、受信素子層３と対向する側の面も凹面になっている。
【００５２】
このような中間層１３は、樹脂材料を成型して形成することができる。中間層１３に用いる樹脂材料としては、例えばポリビニルブチラール、ポリオレフィン、ポリアクリレート、ポリイミド、ポリアミド、ポリエステル、ポリスルホン、エポキシ、オキセタン、などを用いることができる。
【００５３】
中間層１３の厚みは、求める感度や周波数特性により選択されるが、例えば１８０〜１９０μｍ程度である。
【００５４】
なお、求める感度や周波数特性によっては中間層１３を省略することもできる。
【００５５】
受信素子層３は、有機圧電材料から成る複数の圧電素子から構成されている。
【００５６】
受信素子層３に用いる有機圧電材料として、例えば、フッ化ビニリデンの重合体を用いることができる。また例えば、有機圧電材料は、フッ化ビニリデン（ＶＤＦ）系コポリマを用いることができる。このフッ化ビニリデン系コポリマは、フッ化ビニリデンと他の単量体との共重合体（コポリマ）であり、他の単量体としては、３フッ化エチレン（ＴｒＦＥ）、テトラフルオロエチレ（ＴｅＦＥ）、パーフルオロアルキルビニルエーテル（ＰＦＡ）、パーフルオロアルコキシエチレン（ＰＡＥ）およびパーフルオロヘキサエチレン等を用いることができる。
【００５７】
一般に、無機圧電材料の圧電素子は、基本波の周波数に対する２倍程度の周波数帯域の超音波しか受信することができないが、有機圧電材料の圧電素子は、基本波の周波数に対する例えば４〜５倍程度の周波数帯域の超音波を受信することができ、受信周波数帯域の広帯域化に適している。このような超音波を広い周波数に亘って受信可能な特性を持つ有機圧電素子によって超音波信号が受信されるので、本実施形態における超音波探触子１および超音波診断装置１００は、比較的簡単な構造で周波数帯域を広帯域にすることができる。
【００５８】
受信素子層３の厚さｔは、受信すべき超音波の周波数や有機圧電材料の種類等によって適宜に設定される。受信すべき超音波の波長をλとすると、受信素子層３の厚さｔがｔ＝λ／４のとき最も受信素子層３の受信効率が良い。
【００５９】
超音波の波長λは、超音波の周波数をｆ、受信素子層３中の音速をｖとすると（１）式で求められる。
【００６０】
λ＝ｖ／ｆ・・・・・（１）
例えば、基本波５ＭＨｚの超音波を被検体に送信し、２次高調波である１０ＭＨｚの周波数を受信しようとする場合、受信素子層３の材料としてポリフッ化ビニリデン（ＰＶＤＦ）を用いると音速ｖは２２００ｍ／ｓであり、（１）式に代入するとλ＝２２００／１０＝２２０μｍになる。
【００６１】
したがって、ｆ＝１０ＭＨｚの超音波を受信する場合、最も受信効率の良い受信素子層３の厚さｔは５５μｍである。
【００６２】
２次以上の高調波を効率良く受信するためには、受信素子層３の厚さｔを５５μｍ以下にすれば良い。例えば３次高調波であるｆ＝１５ＭＨｚを受信する場合、最も受信効率の良い受信素子層３の厚さｔは３７μｍである。
【００６３】
さらに高い周波数を受信する場合も、受信素子層３の厚さｔは、受信すべき超音波の周波数に応じて設定すれば良いが、あまり薄くすると製造が困難になり、また強度も不足するので８μｍ以上、５５μｍ以下にすることが好ましい。
【００６４】
このような受信素子層３は、有機圧電材料の溶液から流延して所定の厚さの膜を作製し、加熱して結晶化を行った後、所定の大きさのシート状に成型して作製する。
【００６５】
受信素子層３の厚み方向（Ｚ軸方向）に互いに対向する両面には、それぞれ第１電極１２、第２電極１０が形成されている。
【００６６】
第１電極１２、第２電極１０の厚みは、１〜２μｍ程度である。受信素子層３の電極は、音響特性上できるだけ薄い方が良いが、薄すぎると電極にひび割れ等が発生し、信頼性を損なうので０．１〜１０μｍの範囲、好ましくは０．１〜５μｍにすることが望ましい。受信素子層３は、周波数の高い高調波を受信するため、特に第１電極１２、第２電極１０ともに音響特性上できるだけ薄くすることが望ましい。
【００６７】
第１電極１２、第２電極１０は、金、銀、アルミなどの金属材料を用いて、蒸着法やフォトリソグラフィー法により成膜する。受信素子層３に用いる電極、特に第１電極１２は、高調波を感度良く受信するため極めて薄く形成する必要がある。そのため、金属材料として導電性の良い金を用いることが望ましい。
【００６８】
受信素子層３は、有機圧電材料から成るので、第１電極１２、第２電極１０を形成した後も中間層１３の受信素子層３と対向する側の凹面形状に合わせて容易に湾曲させることができる。したがって、図３に示すように、第１電極１２、第２電極１０を形成した受信素子層３を中間層１３の凹面形状に沿って接合し、中間層１３の凸面と受信素子層３との間隔を所定の間隔にして受信素子層３の振動を十分に吸収することができる。
【００６９】
充填層８は、振動子保護膜１６の凹面となる表面上に配され、音響インピーダンスが生体や水に近く、且つ高周波な超音波周波数でも低減衰な材料である。充填層８は、振動子保護膜１６と保護シート９とで形成される空間から形成される保持部に保持されている。振動子保護膜１６を用いない場合には、受信素子層３と保護シート９とで形成される空間から形成される保持部に保持されることとなる。
【００７０】
振動子保護膜１６は、減衰が少ない薄膜ポリイミドフイルム（商品名カプトン（登録商標）  デュポン社）などを用いる。
【００７１】
振動子保護膜１６の形状、すなわち、保持部の被検体側の面は、平面であるので、被検体の測定箇所の全面に容易に当接することができるので、超音波診断の実効を上げることができる。
【００７２】
充填層８は、脱気した精製水または防腐剤液を混入した脱気精製水、又は音響インピーダンスが生体や水に近く且つ高周波でも低減衰かつ化学的に安定な液体などを用いることができる。充填層８を保持する保持部は、上記の液体を封入する封入容器であってもよい。かかる封入容器を製作する方法としては、射出成型により製作する事もできるが、ブロー成型が好ましい。
【００７３】
保護シート９は、適度な強度と生体的安全性を有し、かつ超音波減衰の小さいメチルペンテンポリマー（商品名ＴＰＸ（登録商標）三井石油化学）などを用いる。
【００７４】
上記構成部品による高周波超音波の減衰は、例えば３０ＭＨｚにおいて、振動子保護膜１６ポリイミドフイルムは波長の１／４λより小さい数μｍ厚を受信素子層３に接着するので振動素子として動作し減衰は無視できる。
【００７５】
充填層８の脱気精製水は約０．２ｄＢ／ｍｍ  ａｔ３０ＭＨｚ程であり、通常の音響レンズ材としてのシリコン材の３０ｄＢ／ｍｍ  ａｔ３０ＭＨｚ（１ｄＢ／ｍｍ  ＭＨｚ）に比べ大幅な減少になる。
【００７６】
保護シート９のメチルペンテンポリマーは、製品名ＤＸ−８４５の実測では約７ｄＢ／ｍｍ  ａｔ３０ｄＢであり、必要な強度を得る厚みを０．５ｍｍとしても超音波の送受（往復）で７ｄＢ／ｍｍ  ａｔ  ３０ＭＨｚであり、減衰の合計値は約７ｄＢと小さい。
【００７７】
特開平８−２７５９４４号公報に記載の技術では、約１８ｄＢ（１ｄＢ／ｍｍ／ＭＨｚ  ×３０ＭＨｚ×０．３ｍｍ×２）の減衰を示し、本実施形態においては、７ｄＢの減衰を示し、大幅な減衰効果を得る。
【００７８】
このように高周波超音波の減衰が小さく、送信素子層２が送信する超音波の周波数は、１５ＭＨｚ以上５０ＭＨｚ以下の範囲で、高周波超音波の減衰が小さいという効果を発揮する。
【００７９】
前述したように、送信素子層２からの超音波は、その曲率に応じた凹面内の中心部に放射されて収束するので、音響レンズを不要にし、短軸方向での分解能を高めることができる。
【００８０】
そして、この実施例では、凹面内に充填層８を埋設して平坦面としたので、生体との接触を良好にする。
【００８１】
また、保持部の被検体側の面は、曲面にしてもよい。上記実施例では、単に超音波探触子として説明したが、長軸方向の中央部を凸状した曲面状の所謂コンベックス型の超音波探触子にも適用できる。図４は、コンベックス型の超音波探触子１の模式図である。充填層８が曲面となることで、ｙｚ面内にてレンズ効果を発揮することができる。
【００８２】
図５は、ｙｚ面内とｘｚ面内にてレンズ効果を発揮する超音波探触子１の模式図である。
【００８３】
なお、受信素子層３に用いる有機圧電材料として、加工性が良く、音響インピーダンスが生体や水に近いポリマーを実施例としたが、受信素子層３の第１電極１２側の表面に整合層を設ければコンポジットＰＺＴ（ジルコン酸チタン酸鉛）等を用いることもできる。
【００８４】
また、上記のごとく、送信素子層２と受信素子層３というようにハーモニックイメージングに適した積層構造を有せずに、高周波に優れたポリマーやコンポジットＰＺＴ（ジルコン酸チタン酸鉛）を用いた一層構造での高周波送受波を行うこともできる。
【００８５】
また、充填層８の実施例を脱気した精製水としたが、防腐剤を追加した脱気精製水、また低減粋な液体やゾル、ゲルでも効果を得られる。低減粋な液体としてエチレングリコールやブレンド液も使用できる。
【００８６】
さらに、保護シート９をメチルペンテンポリマーとしたが、超音波減衰が小さく、適度な強度を有する材質、例えばシリコンシートでも可能である。
【００８７】
以上のように、本実施形態によれば、被検体方向から向かって凹面状に複数並べられた圧電素子と、圧電素子の被検体側に、圧電素子と空間を形成する保持部と、空間内に設けられた液体と、を有することで、高次高調波を高感度で受信でき、送信する超音波の減衰を低減させる超音波探触子を提供できる。
【００８８】
また、本実施形態によれば、液体は水であることで、送信する超音波の減衰を大幅に低減させる超音波探触子を提供できる。
【００８９】
また、本実施形態によれば、保持部の被検体側の面は、平面であることで、被検体の測定箇所の全面に容易に当接することができるので、超音波診断の実効を上げることができる超音波探触子を提供できる。
【００９０】
また、本実施形態によれば、保持部の被検体側の面は、曲面であることで、超音波を収束させるレンズ効果を発揮させることができ、ノイズの少ない反射超音波信号を得ることができることから、高画質の超音波画像を得る超音波探触子を提供できる。
【００９１】
また、本実施形態によれば、複数並べられた圧電素子は、超音波を送受信する圧電素子で構成されているので、一つの圧電素子に送受信の機能を集約できることから、小型化、軽量化、低コスト化された超音波探触子を提供できる。
【００９２】
また、本実施形態によれば、複数並べられた圧電素子は、超音波を送信する圧電素子と超音波を受信する圧電素子とで構成されているので、送信に適した圧電素子と受信に適した圧電素子を用いることができることから、性能向上の図られた超音波探触子を提供できる。
【００９３】
また、本実施形態によれば、送受信する超音波の周波数は、１５ＭＨｚ以上５０ＭＨｚ以下であることから、高次高調波の減衰を少なく送受信することができる超音波探触子を提供できる。
【００９４】
また、本実施形態によれば、受信する超音波の周波数は、１５ＭＨｚ以上５０ＭＨｚ以下であることから、高次高調波の減衰を少なく受信することができる超音波探触子を提供できる。
【００９５】
また、本実施形態によれば、上記の特徴を有した超音波診断装置を提供できる。
【符号の説明】
【００９６】
１  超音波探触子
２  送信素子層
３  受信素子層
５  バッキング材
８  充填層
９  保護シート
１０  第２電極
１２  第１電極
１３  中間層
１４  第３電極
１５  第４電極
１６  振動子保護膜
３１  超音波診断装置本体
３３  ケーブル
４１  操作入力部
４２  送信回路
４３  受信回路
４４  画像処理部
４５  表示部
４６  制御部
１００  超音波診断装置
【図１】
2012011024.tif 000003
【図２】
2012011024.tif 000004
【図３】
2012011024.tif 000005
【図４】
2012011024.tif 000006
【図５】
2012011024.tif 000007